(57)【要約】【課題】太陽光発電パネルの裏面側の熱を効率的に排出することのできる太陽光発電パネルの取付構造を提供する。【解決手段】本発明の取付構造は、太陽光発電パネル３を傾斜屋根１と平行に位置させるように、傾斜屋根１上の支持体９で、太陽光発電パネル３が縁部に有するフレーム３１を支持する。傾斜屋根１と太陽光発電パネル３との間に空気層７を形成し、空気層７内に設置した導風板４によって、空気層７内の空気の流れＦ１を上側に向けてガイドする。【選択図】図３
2016011564.tif 000002
【特許請求の範囲】
【請求項１】
建物の傾斜屋根に取り付けられる太陽光発電パネルと、
前記太陽光発電パネルが縁部に有するフレームと、
前記太陽光発電パネルを前記傾斜屋根と平行に位置させるように、前記傾斜屋根上で前記フレームを支持する支持体と、
前記傾斜屋根と前記太陽光発電パネルとの間に形成される空気層と、
前記空気層内の空気の流れを上側にガイドするように、前記空気層内に設置される導風板とを具備し、
前記フレームと前記傾斜屋根との間には、前記傾斜屋根の軒棟方向に貫通する通風スペースが形成され、
前記導風板は、前記通風スペースに対して前記軒棟方向に対向する箇所に設置されることを特徴とする太陽光発電パネルの取付構造。
【請求項２】
前記導風板は、前記軒棟方向に延長された突片を有し、前記突片を前記支持体に接続することを特徴とする請求項１に記載の太陽光発電パネルの取付構造。
【請求項３】
前記空気層内の空気を前記軒棟方向の棟側に向けて強制的に送り出す送風機構を、更に具備することを特徴とする請求項１又は２に記載の太陽光発電パネルの取付構造。
【請求項４】
前記傾斜屋根は、下方に開口する凸部と、上方に開口する凹部とを、横方向に交互に有する凹凸屋根であることを特徴とする請求項１〜３のいずれか一項に記載の太陽光発電パネルの取付構造。
【発明の詳細な説明】
【技術分野】
【０００１】
本発明は、太陽光発電パネルの取付構造に関し、詳しくは、太陽光発電パネルと傾斜屋根との間で空気の流れをガイドする技術に関する。
【背景技術】
【０００２】
太陽光発電パネルを傾斜屋根に取り付ける構造として、特許文献１には、傾斜屋根に固定部材を取り付け、太陽光発電パネルの縁部を、この固定部材上に支持する構造が開示されている。
【０００３】
特許文献１に開示される構造で太陽光発電パネルを取り付けたとき、太陽光発電パネルと傾斜屋根との間には、軒棟方向に通風可能な空気層が形成される。この空気層での通風によって、太陽光発電パネルの裏面側の熱が排出される。
【先行技術文献】
【特許文献】
【０００４】
【特許文献１】特開２０１４−８０７３０号公報
【発明の概要】
【発明が解決しようとする課題】
【０００５】
前記した従来の取付構造において、太陽光発電パネルと傾斜屋根との間で生じる空気の流れは、太陽光発電パネルから離れた流れ（即ち、傾斜屋根に近い下側領域での流れ）になりやすい。そのため、太陽光発電パネルの裏面側の熱を、空気の流れによって効率的に排出し難いという課題を有していた。
【０００６】
本発明は前記課題を解決する発明であり、太陽光発電パネルの裏面側の熱を効率的に排出することのできる太陽光発電パネルの取付構造を提供することを、目的とする。
【課題を解決するための手段】
【０００７】
前記課題を解決するために、本発明を、下記構成を具備する太陽光発電パネルの取付構造とする。
【０００８】
本発明は、建物の傾斜屋根に取り付けられる太陽光発電パネルと、前記太陽光発電パネルが縁部に有するフレームと、支持体と、空気層と、導風板とを具備する太陽光発電パネルの取付構造である。
【０００９】
前記支持体は、前記太陽光発電パネルを前記傾斜屋根と平行に位置させるように、前記傾斜屋根上で前記フレームを支持する。前記空気層は、前記傾斜屋根と前記太陽光発電パネルとの間に形成される。前記導風板は、前記空気層内の空気の流れを上側にガイドするように、前記空気層内に設置される。
【００１０】
前記フレームと前記傾斜屋根との間には、前記傾斜屋根の軒棟方向に貫通する通風スペースが形成される。前記導風板は、前記通風スペースに対して前記軒棟方向に対向する箇所に設置される。
【発明の効果】
【００１１】
本発明は、太陽光発電パネルの裏面側の熱を効率的に排出することができるという効果を奏する。
【図面の簡単な説明】
【００１２】
【図１】本発明の第１実施形態の太陽光発電パネルの取付構造を示す斜視図である。
【図２】本発明の第１実施形態の太陽光発電パネルの取付構造の要部を示す斜視図である。
【図３】図１のＡ−Ａ線断面図である。
【図４】図１のＢ−Ｂ線断面図である。
【図５】本発明の第１実施形態の太陽光発電パネルの取付構造で用いる導風板の斜視図である。
【図６】本発明の第２実施形態の太陽光発電パネルの取付構造を備えた建物全体を概略的に示す斜視図である。
【図７】本発明の第２実施形態の太陽光発電パネルの取付構造の一部を概略的に示す分解斜視図である。
【図８】図６のＣ−Ｃ線断面図である。
【図９】図８の要部拡大図である。
【図１０】本発明の第２実施形態の太陽光発電パネルの取付構造で用いる導風板の斜視図である。
【図１１】比較例の太陽光発電パネルの取付構造の要部を示す断面図である。
【図１２】本発明の第３実施形態の太陽光発電パネルの取付構造の要部を示す断面図である。
【図１３】本発明の第４実施形態の太陽光発電パネルの取付構造を備えた建物全体を概略的に示す斜視図である。
【発明を実施するための形態】
【００１３】
本発明を、添付図面に示す実施形態に基づいて説明する。
【００１４】
（第１実施形態）
本発明の第１実施形態の太陽光発電パネルの取付構造について、図１〜図５に基づいて説明する。
【００１５】
本実施形態の取付構造では、建物が備える屋根下地の上面に複数の凹凸パネル１２，１２…を配置し（図１参照）、これら複数の凹凸パネル１２，１２…によって、凸部１２１と凹部１２０が交互に位置する凹凸屋根を形成している。この凹凸屋根が、本実施形態において太陽光発電パネル３を取り付ける傾斜屋根１である。
【００１６】
以下の本文中において、傾斜屋根１の傾斜した方向を「軒棟方向Ｄ１」といい、軒棟方向Ｄ１の下側を「軒側」、軒棟方向Ｄ１の上側を「棟側」という。平面視において軒棟方向Ｄ１と直交する方向を「横方向Ｄ２」という。
【００１７】
各凹凸パネル１２は、金属製板材を折り曲げたパネルであり、上方に凸となるように屈曲した凸部１２１と、下方に凸となるように屈曲した凹部１２０とを、横方向Ｄ２に沿って交互に有する。凸部１２１は下方に開口し、凹部１２０は上方に開口する。
【００１８】
複数の凹凸パネル１２，１２…は、横方向Ｄ２に連続して位置する。横方向Ｄ２に隣接する凹凸パネル１２，１２は、互いに近接して位置する横方向Ｄ２の端部同士を、図示略の連結材とキャップ１３を用いて連結させる。キャップ１３は、上方に凸となるように屈曲した断面コ字型の部材であり、連結材に被せて配置する。キャップ１３は、隣接する凹凸パネル１２，１２の端部を共に係止する。
【００１９】
キャップ１３は、凹凸パネル１２が有する凸部１２１に近似した寸法形状である。キャップ１３を介して横方向Ｄ２に連続した複数の凹凸パネル１２，１２…は、複数の凸部１２１，１２１…とキャップ１３とが規則的に並んだ外観上の一体感を与える。
【００２０】
軒棟方向Ｄ１に長尺であるキャップ１３の適宜箇所には、太陽光発電パネル３を設置するための支持体９を固定する。
【００２１】
図２に示すように、支持体９は、キャップ１３に上方から被さって位置する第一金具９０と、第一金具９０に対して側方から連結する第二金具９１とを備える。
【００２２】
第一金具９０は、キャップ１３の上方に被さって位置するプレート部９００と、プレート部９００から軒側及び棟側に延設される一対の脚部９０１，９０２とを有する。脚部９０１，９０２はそれぞれ、キャップ１３の上面に押し当たって位置する。プレート部９００の中央部分からは、連結ボルト９０３を上方に突出させている。
【００２３】
第一金具９０は更に、プレート部９００から横方向Ｄ２の一方に延設される支持側片９０４と、プレート部９００から横方向Ｄ２の他方に延設される連結片９０５とを有する。支持側片９０４は、キャップ１３の一方の側面に押し当たって位置する。
【００２４】
第二金具９１は、第一金具９０との距離を自在に変更する可変機構９１０と、キャップ１３の他方の側面に押し当たる押圧片９１１とを有する。
【００２５】
支持体９は、第一金具９０をキャップ１３に被せ、可変機構９１０を操作して第二金具９１と第一金具９０の横方向Ｄ２の距離を縮めることで、キャップ１３に対して強固に固定される。
【００２６】
キャップ１３には、軒棟方向Ｄ１に距離をあけた複数個所に、支持体９，９…を固定する。図１に示すように、軒棟方向Ｄ１に隣接する支持体９，９間に、太陽光発電パネル３を配置する。
【００２７】
図３や図４に示すように、太陽光発電パネル３は、パネル本体３０と、パネル本体３０の外周部に装着された矩形枠状のフレーム３１とを備える。各フレーム３１は、太陽光発電パネル３の周縁部を嵌め込んで支持するように断面コ字状に設けた支持部３１０と、支持部３１０から下方に延長した形状の下枠部３１１とを有する。
【００２８】
なお、構造を理解しやすくするために、図１においては、太陽光発電パネル３のうちパネル本体３０の記載を省略している。図２では、太陽光発電パネル３全体の記載を省略している。
【００２９】
図１等に示すように、太陽光発電パネル３が備えるフレーム３１は、各支持体９が有する第一金具９０のプレート部９００上に載置される。
【００３０】
太陽光発電パネル３は、各支持体９から上方に突出する連結ボルト９０３を用いて固定する。具体的には、連結ボルト９０３に図示略の挟持部材を結合させ、この挟持部材を用いて、太陽光発電パネル３のフレーム３１を挟持固定する。
【００３１】
本実施形態の取付構造では、太陽光発電パネル３と凹凸パネル１２との間に、空気層７が形成される。
【００３２】
図３には、空気層７のうち、凹凸パネル１２の凹部１２０と太陽光発電パネル３との間に形成される部分を示している。図４には、空気層７のうち、凹凸パネル１２の凸部１２１と太陽光発電パネル３との間に形成される部分を示している。
【００３３】
空気層７は、凹凸パネル１２とフレーム３１との間に形成される通風スペース２０を通じて、外部空間に対して軒棟方向Ｄ１に連通する。
【００３４】
図３に示すように、凹凸パネル１２の凹部１２０と太陽光発電パネル３との間に形成される空気層７は、通風スペース２０のうち凹部１２０とフレーム３１との間に形成される部分を通じて、軒棟方向Ｄ１に沿って外部空間に連通する。
【００３５】
図４に示すように、凹凸パネル１２の凸部１２１と太陽光発電パネル３との間に形成される空気層７は、通風スペース２０のうち凸部１２１とフレーム３１との間に形成される部分を通じて、軒棟方向Ｄ１に沿って外部空間に連通する。
【００３６】
図５には、空気層７の空気の流れＦ１をガイドするために備えた導風板４を示している。空気の流れＦ１は、傾斜屋根１に沿って空気が棟側に移動する流れである。導風板４の材質としては、金属、耐熱プラスチック等の、或る程度の熱に耐え得る材料を用いる。
【００３７】
本実施形態の導風板４は、凹凸パネル１２が有する複数の凸部１２１，１２１…上に架け渡すように載置される載置片４０と、載置片４０の軒棟方向Ｄ１の端部から上方に起立する起立片４１とを、側面視Ｌ字型に連続して備える。載置片４０は、突片４００と凹溝４０１を、横方向Ｄ２に沿って交互に有する。
【００３８】
導風板４は更に、載置片４０から下方に垂下された複数の垂下片４２，４２…を備える。複数の垂下片４２，４２…は、載置片４０が有する複数の凹溝４０１，４０１…の溝底から、一対一で垂下される。
【００３９】
導風板４の固定は、載置片４０が有する複数の突片４００，４００…のうち所定箇所にある突片４００を、キャップ１３の上面と、支持体９のプレート部９００が有する棟側の脚部９０２との間に挿入し、挟持固定させることで行う（図２参照）。
【００４０】
導風板４の突片４００には、抜け止め片を更に設けることも可能である。具体的には、突片４００の一部を切り起こすことで、抜け止め片を形成することができる。前記抜け止め片を、支持体９が有する脚部９０２の内面に当てることで、導風板４の抜け止めを図ることが可能である。
【００４１】
支持体９とキャップ１３を用いて凹凸パネル１２上に導風板４を固定した固定状態において、載置片４０が有する複数の突片４００，４００…は、凹凸パネル１２の凸部１２１又はキャップ１３上に、一対一で載置される。導風板４が備える複数の垂下片４２，４２…は、凹凸パネル１２が有する複数の凹部１２０，１２０内に、一対一で挿入される。
【００４２】
図３に示すように、凹部１２０とフレーム３１との間に形成される通風スペース２０に対して、空気層７内に位置する導風板４の起立片４１と垂下片４２が、対向して位置する。
【００４３】
起立片４１は、通風スペース２０の開口を超える高さを有する。起立片４１の高さは、太陽光発電パネル３の上面に積雪等で荷重が掛かったときでも、弾性変形した太陽光発電パネル３が起立片４１に接触することがないように、計算や実験に基づいて設計する。
【００４４】
凹部１２０とフレーム３１との間の通風スペース２０を通じて、空気層７内に流入した空気の流れＦ１は、通風スペース２０を通過した後に、導風板４が有する垂下片４２や起立片４１にガイドされて、太陽光発電パネル３に近い上側領域にまで上昇する。空気層７の上側領域に上昇した空気の流れＦ１は、その勢いで上側領域を流れる。
【００４５】
また、図４に示すように、凸部１２１とフレーム３１との間に形成される通風スペース２０に対しては、空気層７内に位置する導風板４の起立片４１が、対向して位置する。
【００４６】
凸部１２１とフレーム３１との間の通風スペース２０を通じて、空気層７内に流入した空気の流れＦ１は、通風スペース２０を通過した後に、導風板４が有する起立片４１にガイドされて、太陽光発電パネル３に近い上側領域にまで上昇する。空気層７の上側領域に上昇した空気の流れＦ１は、その勢いで上側領域を流れる。
【００４７】
本実施形態の取付構造によれば、太陽光発電パネル３の裏面と近い上側領域に空気の流れＦ１が生じやすくなるので、太陽光発電パネル３の温度上昇が効果的に抑制される。
【００４８】
本実施形態では、軒棟方向Ｄ１に並設される太陽光発電パネル３，３…のうち、最も軒側に位置する太陽光発電パネル３の軒側端部の近傍箇所にだけ、導風板４を配しているが、他の箇所にも同様の導風板を配することが可能である。
【００４９】
つまり、前記した導風板４を、他の太陽光発電パネル３の軒側端部の近傍箇所に設けることも可能であるし、太陽光発電パネル３の棟側端部の近傍箇所に、同様の導風板を設けることも可能である。
【００５０】
太陽光発電パネル３の棟側端部の近傍箇所に導風板を設ける場合、この導風板は、前記した導風板４を軒棟方向Ｄ１に反転させた寸法形状とすることができる。
【００５１】
また、本実施形態では、複数の金属製の凹凸パネル１２，１２…を左右方向Ｄ２に連結させて凹凸屋根を構成しているが、単数のパネルで凹凸屋根を構成することや、非金属製のパネルで凹凸屋根を構成することも可能である。凹凸屋根として用いる非金属製のパネルは、例えばＦＲＰ等の樹脂を用いて形成することや、非金属原料に高熱処理を施す窯業によって形成することが可能である。
【００５２】
（第２実施形態）
本発明の第２実施形態の太陽光発電パネルの取付構造について、図６〜図１０に基づいて説明する。なお、本実施形態の構成のうち、前記した第１実施形態の構成と同様については、詳しい説明を省略する。
【００５３】
本実施形態の取付構造は、建物が備える平坦な傾斜屋根１上に、複数の太陽光発電パネル３，３…を配置する構造である（図６参照）。
【００５４】
図７等に示すように、本実施形態の取付構造では、建物の傾斜屋根１の上面に、複数のベース板１０を配置する。
【００５５】
各ベース板１０上には、横方向Ｄ２が長手方向となるように、横桟状の支持体１１をネジ等で固定する。支持体１１は、軒棟方向Ｄ１に貫通する通風スペース２１を有する。
【００５６】
本実施形態では、軒棟方向Ｄ１に所定の間隔をあけて複数の支持体１１が位置し、且つ、横方向Ｄ２に沿って複数の支持体１１が一直線状に連続する。太陽光発電パネル３は、軒棟方向Ｄ１に隣接する支持体１１，１１間に、架け渡して取り付ける。
【００５７】
図８に示すように、傾斜屋根１上に複数の太陽光発電パネル３，３…を配置した状態で、最も軒側に位置する支持体１１には、軒先カバー６０と、最も軒側に位置する太陽光発電パネル３を支持するフレーム３１の軒側端部とが、取付固定される。支持体１１に取付固定された軒先カバー６０とフレーム３１の隙間には、上方からカバー６２が嵌め込まれる。
【００５８】
最も棟側に位置する支持体１１には、最も棟側に位置する太陽光発電パネル３を支持するフレーム３１と、図７に示す棟カバー６１とが、取付固定される。支持体１１に取付固定されたフレーム３１と棟カバー６１との隙間は、上方からカバー６３を嵌め込むことで、水密に封止される。
【００５９】
軒棟方向Ｄ１に並ぶ支持体１１，１１…のうち、最も軒側と棟側の支持体１１，１１を除く他の支持体１１には、その支持体１１の軒側に位置する太陽光発電パネル３のフレーム３１と、棟側に位置する太陽光発電パネル３のフレーム３１とが、取付固定される。
【００６０】
この支持体１１に取付固定されたフレーム３１，３１の隙間は、上方からカバー６４を嵌め込むことで、水密及び気密に封止される。
【００６１】
横方向Ｄ２に隣接する太陽光発電パネル３，３のフレーム３１，３１間の隙間は、図７に示すカバー６５を上方から嵌め込むことで、水密及び気密に封止される。
【００６２】
更に、傾斜屋根１上には、図７に示す側面カバー６６を配置している。側面カバー６６は、横方向Ｄ２に並設される太陽光発電パネル３，３…のうち、最も端に位置する太陽光発電パネル３のフレーム３１の側面を覆い隠すように配置する。
【００６３】
本実施形態の取付構造で複数の太陽光発電パネル３，３…を傾斜屋根１に取り付けたとき、各太陽光発電パネル３と傾斜屋根１との間には、図８、図９に示すような空気層７が形成される。横方向Ｄ２の最も端に位置する空気層７の側端は、側面カバー６６によって水密及び気密に封止される。
【００６４】
以下においては、軒棟方向Ｄ１に並設される太陽光発電パネル３，３のうち、軒側の太陽光発電パネル３の下方にある空気層７を「軒側空気層７ａ」といい、棟側の太陽光発電パネル３の下方にある空気層７を「棟側空気層７ｂ」という。
【００６５】
軒側空気層７ａと棟側空気層７ｂとは、支持体１１に設けた貫通孔である通風スペース２１（図７等参照）を通じて、軒棟方向Ｄ１に連通する。隣接する軒側空気層７ａと棟側空気層７ｂの間では、この通風スペース２１を通じて、軒棟方向Ｄ１に沿った通風が行われる。
【００６６】
具体的には、図８や図９に矢印で示すように、軒側空気層７ａから棟側空気層７ｂへと移動する空気の流れＦ１が、通風スペース２１を通じて発生する。空気の流れＦ１は、太陽光発電パネル３の裏側で温められた空気が、傾斜屋根１に沿って棟側に移動する流れである。
【００６７】
本実施形態の取付構造では、この空気の流れＦ１をガイドするための導風板５を、棟側空気層７ｂに設置している。
【００６８】
導風板５は、図１０にも斜視で示すように、傾斜屋根１のベース板１０上に載置される突片５０と、突片５０の軒棟方向Ｄ１の端部から上方に起立する起立片５１とを、側面視Ｌ字型に連続させた形状を有する。
【００６９】
導風板５は更に、突片５０の軒棟方向Ｄ１の端部から切返した形状の抜け止め片５２を有する。突片５０と抜け止め片５２との境界に形成される角部分は、側面視にて鋭角である。
【００７０】
突片５０は、傾斜屋根１上において、横方向Ｄ２が長手方向となり、軒棟方向Ｄ１が短手方向となるように載置される。起立片５１と抜け止め片５２は、軒棟方向Ｄ１の互いに反対側に位置する。本実施形態では、導風板５を棟側空気層７ｂに配置するので、起立片５１が棟側に位置し、抜け止め片５２が軒側に位置する。
【００７１】
導風板５の突片５０は、傾斜屋根１上のベース板１０と支持体１１との間で挟持され、抜け止め片５２の端縁が支持体１１の内面に当たることで、抜け止めされる。
【００７２】
このとき、導風板５のうちガイド機能を発揮する起立片５１が、支持体１１の下部に形成した通風スペース２１に対して、軒棟方向Ｄ１に対向して位置する。本実施形態では、導風板５を棟側空気層７ｂに配置するので、起立片５１は、通風スペース２１に対して棟側に対向して位置する。起立片５１は、通風スペース２１の開口を超える高さを有する。
【００７３】
軒側空気層７ａから棟側空気層７ｂへと移動する空気の流れＦ１は、通風スペース２１を介して傾斜屋根１に近い下側領域を通過した後に、導風板５が有する起立片５１にガイドされて、太陽光発電パネル３に近い上側領域にまで上昇する。棟側空気層７ｂの上側領域にまで上昇した空気の流れＦ１は、その勢いで上側領域を流れる。
【００７４】
太陽光発電パネル３の温度は日照時に高温となるが、本実施形態の取付構造によれば、太陽光発電パネル３の裏面と近い上側領域に空気の流れＦ１が生じやすくなるので、太陽光発電パネル３の温度上昇が効果的に抑制される。
【００７５】
図１１には、比較例として、本実施形態のような導風板５を設置しなかった場合の空気の流れＦ０を示している。
【００７６】
図示のように、導風板５を設けない場合、軒側空気層７ａから棟側空気層７ｂへと移動する空気の流れＦ０は、そのまま全体を通じて下側領域を流れやすくなる。特に、本実施形態の太陽光発電パネル３は、パネル本体３０の全周をフレーム３１で支持し、このフレーム３１が、下方に突出した下枠部３１１を有する構造であるから、下枠部３１１に囲まれる上側領域は空気が滞留しやすい。
【００７７】
これに対して、本実施形態の取付構造によれば、太陽光発電パネル３の設置に用いる支持体１１に、導風板５を接続させて設けることで、太陽光発電パネル３に近い上側領域での空気の流れＦ１を作り出すことができる。導風板５にガイドされた空気の流れＦ１は、太陽光発電パネル３の温度上昇を効果的に抑制する。その結果として、太陽光発電パネル３の発電効率の低下を効果的に抑制することは、第１実施形態と同様である。
【００７８】
特に、本実施形態の取付構造では、カバー６２，６３，６４，６５を配して、複数の太陽光発電パネル３，３…全体を一枚のパネルのように水密及び気密に連設し、且つ、このパネルブロック全体の側縁を、側面カバー６６で水密及び気密に封止している。そのため、複数の太陽光発電パネル３，３…を連設したパネルブロック全体において、軒側から棟側へと向かう空気の流れＦ１が万遍なく生じやすくなり、複数の太陽光発電パネル３，３…のそれぞれの温度上昇が、空気の流れＦ１によって万遍なく抑制される。
【００７９】
なお、本実施形態では、導風板５を支持体１１に接続させているが、導風板５を、支持体１１とは離れて位置するように傾斜屋根１に対して直接的に固定することも可能である。
【００８０】
（第３実施形態）
本発明の第３実施形態の太陽光発電パネルの取付構造について、図１２に基づいて説明する。なお、本実施形態の構成のうち、前記した第２実施形態の構成と同様については、詳しい説明を省略する。
【００８１】
本実施形態の取付構造では、棟側空気層７ｂに加えて軒側空気層７ａにおいても、導風板５を設置する。以下においては、軒側空気層７ａに設置する導風板５を「軒側の導風板５ａ」といい、棟側空気層７ｂに設置する導風板５を「棟側の導風板５ｂ」という。
【００８２】
軒側の導風板５ａは、棟側の導風板５ｂを軒棟方向Ｄ１に反転させた寸法形状を有する。
【００８３】
即ち、軒側の導風板５ａは、突片５０と起立片５１とを側面視Ｌ字型に連続させた形状を有し、更に、突片５０の棟側の端部から切返した抜け止め片５２を有する。軒側の導風板５ａでは、起立片５１が軒側に位置し、抜け止め片５２が棟側に位置する。
【００８４】
突片５０は、傾斜屋根１と支持体１１との間で挟持され、抜け止め片５２が支持体１１の内面に当たることで、抜け止めされる。
【００８５】
軒側の導風板５ａが備える起立片５１は、支持体１１の下部に形成した通風スペース２１に対して、軒側に対向して位置する。起立片５１は、通風スペース２１の開口を超える高さを有する。
【００８６】
したがって、軒側空気層７ａから棟側空気層７ｂへと移動する空気の流れＦ１は、支持体１１の通風スペース２１では、傾斜屋根１に近い下側領域を通過し、それ以外の軒側空気層７ａと棟側空気層７ｂにおいては、太陽光発電パネル３に近い上側領域を通過しやすくなる。
【００８７】
本実施形態の取付構造によれば、太陽光発電パネル３を設置するために用いる支持体１１に、軒側と棟側から導風板５ａ，５ｂを接続させることで、太陽光発電パネル３，３に近い上側領域での空気の流れＦ１を作り出すことができる。導風板５ａ，５ｂにガイドされた空気の流れＦ１は、太陽光発電パネル３，３の温度上昇を効果的に抑制する。
【００８８】
（第４実施形態）
本発明の第４実施形態の太陽光発電パネルの取付構造について、図１３に基づいて説明する。なお、本実施形態の構成のうち、前記した第２実施形態の構成と同様については、詳しい説明を省略する。
【００８９】
本実施形態の取付構造では、傾斜屋根１上に、各空気層７の空気を棟側に向けて強制的に送り出す送風機構８を、更に備えている。
【００９０】
送風機構８は、軒棟方向Ｄ１に連続する複数の太陽光発電パネル３，３…で構成されるブロック全体に対して、棟側から接続する。送風機構８は、傾斜屋根１の棟部分に設置される箱型のケース８０内にファン（図示略）を配した構造である。ファンを駆動することで、ケース８０の上面に設けた排気口８１から、空気が排出される。
【００９１】
ケース８０の内部空間は、軒棟方向Ｄ１に連続する複数の太陽光発電パネル３，３…の下方に位置する空気層７，７…と、連通させて設ける。ケース８０内のファンを駆動することで、軒棟方向Ｄ１に連通する複数の空気層７，７…において、図８、図９に示したような空気の流れＦ１を、強制的な風量で生じさせることができる。
【００９２】
ここでは、第２実施形態の取付構造に送風機構８を備えた場合について説明したが、第１実施形態の取付構造に、同様の送風機構８を備えることも可能である。
【００９３】
この場合には、送風機構８のファンを駆動することで、図３、図４に示したような空気の流れＦ１を、強制的な風量で生じさせることができる。
【００９４】
第３実施形態の取付構造に同様の送風機構８を備えた場合には、送風機構８のファンを駆動することで、図１２に示したような空気の流れＦ１を、強制的な風量で生じさせることができる。
【００９５】
以上、添付図面に基づいて述べたように、本発明の第１〜第４実施形態の取付構造は、建物の傾斜屋根１に取り付けられる太陽光発電パネル３と、太陽光発電パネル３が縁部に有するフレーム３１と、支持体９（１１）と、空気層７と、導風板４（５）とを具備する。支持体９（１１）は、太陽光発電パネル３を傾斜屋根１と平行に位置させるように、傾斜屋根１上でフレーム３１を支持する。空気層７は、傾斜屋根１と太陽光発電パネル３との間に形成される。導風板４（５）は、空気層７内の空気の流れＦ１を上側にガイドするように、空気層７内に設置される。
【００９６】
フレーム３１と傾斜屋根１との間には、傾斜屋根１の軒棟方向Ｄ１に貫通する通風スペース２０（２１）が形成される。導風板４（５）は、通風スペース２０（２１）に対して軒棟方向Ｄ１に対向する箇所に設置される。
【００９７】
第１〜第４実施形態の取付構造によれば、空気層７内に設置した導風板４（５）によって、通風スペース２０（２１）を通じて棟側に流れる空気を上側に向けてガイドし、空気層７において太陽光発電パネル３に近い空気の流れＦ１を作り出すことができる。そのため、太陽光発電パネル３の温度上昇を効果的に抑制し、太陽光発電パネル３の発電効率の低下を抑制することが可能となる。
【００９８】
更に、本発明の第１〜第４実施形態の取付構造において、導風板４（５）は、軒棟方向Ｄ１に延長された突片４００（５０）を有し、突片４００（５０）を支持体９（１１）に接続する。
【００９９】
各実施形態の取付構造によれば、太陽光発電パネル３を傾斜屋根１上に支持する支持体９（１１）を利用して、導風板４（５）を空気層７内の適切な箇所に設置することができる。そのため、傾斜屋根１に孔あけ等の別途加工を行う必要なく、導風板４（５）を設置することが可能となる。
【０１００】
更に、本発明の第４実施形態の取付構造においては、空気層７内の空気を軒棟方向Ｄ１の棟側に向けて強制的に送り出す送風機構８を、更に具備する。
【０１０１】
第４実施形態の取付構造によれば、導風板４（５）にガイドされて上側領域を通過する空気の流れＦ１を、空気層７内において強制的な風量で生じさせることができる。そのため、太陽光発電パネル３の温度上昇を更に効果的に抑制し、太陽光発電パネル３の発電効率の低下を更に抑制することが可能となる。
【０１０２】
更に、本発明の第１実施形態の取付構造において、傾斜屋根１は、下方に開口する凸部１２１と、上方に開口する凹部１２０とを、横方向に交互に有する凹凸屋根である。そのため、凸部１２１と太陽光発電パネル３との間に形成されるスペースに加えて、凹部１２０と太陽光発電パネル３との間に形成されるスペースを通じて、空気が軒棟方向Ｄ１に流れやすい構造となっている。
【０１０３】
以上、本発明を添付図面に示す実施形態に基づいて説明したが、本発明は前記した各実施形態の構成に限定されない。本発明の意図する範囲内であれば、各実施形態に適宜の設計変更を行うことや、各実施形態の構成を組み合わせることが可能である。
【符号の説明】
【０１０４】
１    傾斜屋根
３    太陽光発電パネル
４    導風板
５    導風板
７    空気層
８    送風機構
９    支持体
１０  ベース板
１１  支持体
２０  通風スペース
２１  通風スペース
Ｄ１  軒棟方向
Ｆ１  空気の流れ
【図１】
2016011564.tif 000003
【図２】
2016011564.tif 000004
【図３】
2016011564.tif 000005
【図４】
2016011564.tif 000006
【図５】
2016011564.tif 000007
【図６】
2016011564.tif 000008
【図７】
2016011564.tif 000009
【図８】
2016011564.tif 000010
【図９】
2016011564.tif 000011
【図１０】
2016011564.tif 000012
【図１１】
2016011564.tif 000013
【図１２】
2016011564.tif 000014
【図１３】
2016011564.tif 000015